(57)【特許請求の範囲】
【請求項１】
片面にシリンドリカルレンズが並設され、もう片面が平坦面であるレンチキュラーシートの平坦面に紫外線硬化型樹脂層を形成させる工程、光源とレンチキュラーシートとを、シリンドリカルレンズの並設方向に相対移動させながらシリンドリカルレンズの長手方向に延びた帯状の光線をシリンドリカルレンズ側からレンチキュラーシートの平坦面に対して垂直に照射して、各シリンドリカルレンズによって集光された部分の未硬化状態の紫外線硬化型樹脂層を硬化させる工程、硬化した部分以外の樹脂層表面を黒色に着色し平坦面にブラックストライプ層を形成させる工程、フィラーを内包させた、少なくとも高分子材料と粘着付与剤と固体熱可塑剤と赤外線吸収剤とを基本成分として有する感熱性粘着組成物を透明な基材の片面に塗布する工程、レンチキュラーシートのブラックストライプ層が形成された面と前記基材の感熱性粘着組成物塗布面とを相対するように積層させる工程、積層シートのシリンドリカルレンズ側からレンチキュラーシートの平坦面に対して垂直に赤外線を照射して感熱性粘着組成物に粘着性を付与させる工程、感熱性粘着組成物を塗布した基材を剥離する工程、上記各工程をこの順序で処理して製造されることを特徴とする透過型プロジェクションスクリーン。
【発明の詳細な説明】
【０００１】
【発明の属する技術分野】
本発明はコントラストの高い表面拡散タイプの透過型プロジェクションスクリーンに関する。
【０００２】
【従来の技術】
従来、観察者側に位置する側の表面に光拡散性微粒子を混入した樹脂を塗布して拡散層を形成させた透過型プロジェクションスクリーンがあった（図３参照）。
【０００３】
この透過型プロジェクションスクリーンは、ブラックストライプ層の上に表面拡散層が形成されているため、黒色を前面に押し出すことができず、また、表面拡散層が外光を乱反射させるため、コントラストの低下をまねいていた。
【発明が解決しようとする課題】
【０００４】
本発明は、透過型プロジェクションスクリーンに関する以上のような問題点を解決するためになされたもので、コントラストの高い表面拡散タイプの透過型プロジェクションスクリーンを提供することを目的とする。
【０００５】
【課題を解決するための手段】
本発明は、片面にシリンドリカルレンズが並設され、もう片面が平坦面であるレンチキュラーシートの平坦面に紫外線硬化型樹脂層を形成させる工程、光源とレンチキュラーシートとを、シリンドリカルレンズの並設方向に相対移動させながらシリンドリカルレンズの長手方向に延びた帯状の光線をシリンドリカルレンズ側からレンチキュラーシートの平坦面に対して垂直に照射して、各シリンドリカルレンズによって集光された部分の未硬化状態の紫外線硬化型樹脂層を硬化させる工程、硬化した部分以外の樹脂層表面を黒色に着色し平坦面にブラックストライプ層を形成させる工程、フィラーを内包させた、少なくとも高分子材料と粘着付与剤と固体熱可塑剤と赤外線吸収剤とを基本成分として有する感熱性粘着組成物を透明な基材の片面に塗布する工程、レンチキュラーシートのブラックストライプ層が形成された面と前記基材の感熱性粘着組成物塗布面とを相対するように積層させる工程、積層シートのシリンドリカルレンズ側からレンチキュラーシートの平坦面に対して垂直に赤外線を照射して感熱性粘着組成物に粘着性を付与させる工程、感熱性粘着組成物を塗布した基材を剥離する工程、上記各工程をこの順序で処理して製造されることを特徴とする透過型プロジェクションスクリーンである。
【０００６】
【作用】
上記のように本発明によれば、光拡散性微粒子を含まない透明な材料から形成された透過型プロジェクションスクリーン用片面レンチキュラーシートの映像光の出射光側となるほぼ平坦面上にブラックストライプ層があり、その上に拡散剤（フィラー）を内包する感熱性粘着組成物が塗布された基材を積層し、赤外線をレンズの上から垂直に照射し、レンズの集光性を利用してレンズの集光部分にのみ熱を与えるようにしているので、レンズの集光部分のみが粘着性を有し、それ以外の部分は粘着性を持たなくなる。そのため、基材を剥離すると、レンズの集光部分のみに拡散剤を有する部分が残り、それ以外の部分は基材とともに剥離され、ブラックストライプ層上には何もなくなる。このようにして、レンズの集光部の下部にのみ拡散層を有し、ブラックストライプ層の上にはなにもなくなり、黒みが外に露出されることになり、従来のスクリーンのように黒みの上に拡散層があったことによる黒みの減少と外光反射によるコントラストの低下は回避される。
【０００７】
【発明の実施の形態】
以下、実施例により本発明を詳細に説明する。図１は、本発明の透過型プロジェクションスクリーンの実施例を示す断面説明図で、図２（ａ）〜（ｇ）は、本発明の透過型プロジェクションスクリーンの製造過程を工程順に示す説明図である。
【０００８】
本発明の透過型プロジェクションスクリーンは、図１に示すように、シリンドリカルレンズ１が並設されたレンズ基材２から成るレンチキュラーシート１１の平坦面に、紫外線硬化型樹脂層からなる感光材料６が形成され、感光材料６の未硬化部分３の樹脂層表面を黒色に着色したブラックストライプ層４が形成され、硬化部分１０の上にはフィラーが内包された感熱性粘着組成物層８が形成された構成より成っている。
【０００９】
また、本発明の透過型プロジェクションスクリーンの作製工程を工程順に説明する（図２（ａ）〜（ｇ）参照）。
【００１０】
レンズ基材２としては、アクリル樹脂、塩化ビニール樹脂、カーボネイト樹脂などの透明な熱可塑性樹脂を任意の方法で成形したものが良い。
また、紫外線硬化型樹脂や電子線硬化型樹脂などの電離放射線硬化型樹脂を用いた前記樹脂の硬化物からなるもの、さらにはレンチキュラーシートのシリンドリカルレンズのみを電離放射線硬化型樹脂の硬化物とし、透明樹脂基材の表面に電離放射線硬化型樹脂の硬化物からなるシリンドリカルレンズを形成させたものでも良い。
【００１１】
先ず、片面にシリンドリカルレンズ１が並設され、もう片面が平坦面であるレンズ基材２から成るレンチキュラーシート１１の平坦面に感光材料である電離放射線硬化型樹脂層６を形成させる（図２（ａ）参照）。
【００１２】
別に、黒色顔料を添加した電離放射線硬化型アクリル樹脂を透明ポリエステル（ＰＥＴ）シートに塗布し、転写シートとする。
【００１３】
レンチキュラーシート１１の電離放射線硬化型アクリル樹脂層６形成面と、転写シートの黒色の着色層形成面とを相対させて重ね合わせ、光源１２とレンチキュラーシート１１とを、シリンドリカルレンズの並設方向に相対移動させながら、シリンドリカルレンズの長手方向に延びた帯状の光線を、シリンドリカルレンズ側からレンチキュラーシート１１の平坦面に対して垂直に照射して各シリンドリカルレンズによって集光された部分の未硬化状態の電離放射線硬化型樹脂層６を硬化させ（図２（ｂ）参照）、未硬化部分の前記樹脂の粘性を利用して、着色層を未硬化部分にのみ付着させ、硬化部分の着色層をレンチキュラーシート１１から転写シートと共に剥離することにより黒色遮光パターンであるブラックストライプ層４が形成される（図２（ｃ）参照）。
【００１４】
シリカなどのフィラーを練り込んだ感熱性粘着組成物である拡散層８を透明なＰＥＴシートに塗布し、感熱性粘着シートとする（図２（ｄ）参照）。
【００１５】
前記レンチキュラーシート１１のブラックストライプ層４が形成された面と、感熱性粘着シートの拡散層８が形成された面とを相対させて積層する（図２（ｅ）参照）。
【００１６】
その後、シリンドリカルレンズ側からレンチキュラーシート１１の平坦面に対して垂直に赤外線１３を照射すると、各シリンドリカルレンズによって赤外線が集光されて感熱性粘着組成物は粘着性を持つ（図２（ｆ）参照）。
【００１７】
最後に感熱性粘着シートのＰＥＴ基材を剥がすと、各シリンドリカルレンズの下部にのみ拡散層８が残り、本発明の透過型プロジェクションスクリーンが作製される（図２（ｇ）、図１参照）。
【００１８】
図２（ｆ）の露光プロセスによれば、各シリンドリカルレンズに対しては、シリンドリカルレンズ側から赤外線をレンチキュラーシートの全面に一括的に照射するのと同等に機能することになる。
また、光拡散パターンは、実際のレンチキュラーシートへの赤外線の照射による集光部に対してであり、確実な位置精度でパターン形成が行われる。
【００１９】
【実施例】
以下に本発明の実施例をさらに具体的に説明する。本発明は下記に使用するものに限るものではない。
【００２０】
〈実施例１〉
レンチキュラーシート１１として、厚さ１．０ｍｍの透明基材上に紫外線硬化型樹脂の硬化物からなる下記処方からなるシリンドリカルレンズ群を形成したものを準備した。
ピッチ；０．４ｍｍ、球面半径；０．３５ｍｍ、レンズ部厚み；０．０６３ｍｍ、寸法；１２０ｃｍ×９０ｃｍ
【００２１】
感光材料６として、クロマリンフィルム（デュポン（株）製）を準備した。
【００２２】
厚さ２５μｍの透明ＰＥＴシートの片面に、以下の処方からなる着色層をワイヤーバーにより１．５μｍの膜厚でコーティングし転写シートとした。
【００２３】
着色層処方
アクリル樹脂（三菱レイヨン（株）製、ＢＲ８０）            ５０重量部
カーボンブラック                                          １０重量部
溶媒（ＭＥＫ／トルエン＝１／１）                          ４０重量部
【００２４】
厚さ２５μｍの透明ＰＥＴシートの片面に、以下の処方からなる感熱性粘着組成物をワイヤーバーにより塗工して４５°Ｃで２分間乾燥させ、１８μｍの膜厚の感熱粘着性組成物層８を有する感熱性粘着シートを準備した（図２（ｄ）参照）。
【００２５】
感熱性粘着組成物処方
感熱性粘着組成物は高分子材料と粘着付与剤と固体可塑剤を基本成分とする。高分子材料として、
アクリル酸エステル共重合物の水性エマルジョン  （固形分）１００重量部
粘着付与剤として、
ロジンエステルの水性エマルジョン（軟化点８４°Ｃ）（固形分）１００重量部
固体可塑剤として、
フタル酸ジシクロヘキシル水性分散体（融点６４°Ｃ）  （固形分）１００重量部
水溶性高分子として、
ポリアクリル酸ソーダ                          （固形分）  １０重量部
フィラーとして、
シリカ                                                      ５重量部
赤外線吸収剤として、
ＩＲ  ８２０（日本化薬（株）製）                            ５重量部
【００２６】
これらを固形分濃度５０％の低級アルコール溶剤を用いて混合して、水性樹脂分散体（エマルジョン）を呈する感熱性粘着組成物を調整した。
【００２７】
先に準備したレンチキュラーシート１１の平坦面に紫外線硬化型樹脂層６であるクロマリン層を形成した（図２（ａ）参照）。
【００２８】
次に光源（紫外線）１２とレンチキュラーシート１１とを、シリンドリカルレンズの並設方向に相対移動させながら、シリンドリカルレンズ１の長手方向に延びた帯状の光線をシリンドリカルレンズ側からレンチキュラーシートの平坦面に対して垂直に照射して、各シリンドリカルレンズによって集光された部分の未硬化状態のクロマリン層６を硬化させる（図２（ｂ）参照）。
【００２９】
このクロマリン層６の上に、先に準備した転写シートを着色層がクロマリン層と接するように積層し、硬化部分の着色層をレンチキュラーシート１１から剥離することにより、クロマリンの未硬化部分を黒色に着色し、黒色遮光パターンであるブラックストライプ層４が形成される（図２（ｃ）参照）。
【００３０】
レンチキュラーシート１１のブラックストライプ層４が形成された面と、感熱性粘着シートの拡散層８が形成された面とを相対させて積層する（図２（ｅ）参照）。
【００３１】
この積層したシートのシリンドリカルレンズ側からレンチキュラーシートの平坦面に対して垂直に赤外線１３を照射する。各シリンドリカルレンズによって赤外線が集光され、熱により拡散剤を内包する感熱性粘着組成物は粘着性を持つ（図２（ｆ）参照）。
【００３２】
最後に感熱性粘着シートをレンチキュラーシートから剥がすと、拡散層８は各シリンドリカルレンズの集光部のみ加熱されるため、レンズ部に対応する部分はレンチキュラーシートに接着し、それ以外の部分は粘着シートに接着してレンチキュラーシートから剥離する（図２（ｇ）、図１参照）。
【００３３】
以上のようにして本発明の透過型プロジェクションスクリーンは製造される。そして、得られた透過型プロジェクションスクリーンはレンズの下部の部分がプロジェクターからの投影光を拡散する硬化を持つ。また、それ以外の剥離した部分は黒色遮光パターンであるためコントラストが高くなる。
【００３４】
【発明の効果】
従来の技術では、ブラックストライプ層の上層に光拡散層をラミネートしていたため、黒色が光拡散によりぼやけてしまい、コントラストの低下が認められたが、上記のように本発明においては、レンズの下部にのみ光拡散層を設け、ブラックストライプ層の上層には光拡散層が来ないため、ブラックストライプ層の黒みが前面に出てきて、高コントラストの映像を観察できる透過型プロジェクションスクリーンと該透過型プロジェクションスクリーンの製造方法を提供できる。
【図面の簡単な説明】
【図１】本発明の透過型プロジェクションスクリーンの一実施例を示す断面説明図である。
【図２】（ａ）〜（ｇ）は本発明の透過型プロジェクションスクリーンの製造過程を工程順に示す説明図である。
【図３】従来の透過型プロジェクションスクリーンの一例を示す断面説明図である。
【符号の説明】
１‥‥シリンドリカルレンズ
２‥‥レンズ基材
３‥‥未硬化部分
４‥‥ブラックストライプ層、ストライプパターン
５‥‥粘着面
６‥‥感光材料、紫外線硬化型樹脂層
７‥‥表面拡散剤、拡散層
８‥‥フィラーの入った感熱性粘着組成物層、拡散層
９‥‥基材
１０‥‥硬化部分
１１‥‥レンチキュラーシート
１２‥‥光源
１３‥‥赤外線
【図１】
0003988285.tif 000002
【図２】
0003988285.tif 000003
【図３】
0003988285.tif 000004